(57)【特許請求の範囲】
【請求項１】
ループ状にランダムに絡まり合い部分的に熱溶着する連続線条から構成されるスプリング構造を備える三次元網状構造体でなり、嵩密度０．０３〜０．４ｇ/ｃｍ3、長さ４００ｍｍ〜１５００ｍｍ、幅１００ｍｍ〜２５００ｍｍ、厚み１５ｍｍ〜１５０ｍｍ、連続線条の線径０．１〜１５ｍｍ、体圧１９９９．８〜１２５３２Ｐａに設定し、嵩密度０．０７〜０．４ｇ/ｃｍ3の硬部と、該硬部より嵩密度が低く設定される嵩密度０．０３〜０．２ｇ/ｃｍ3の軟部を備え、硬部の体圧３４６６〜１２５３２Ｐａ、軟部の体圧１９９９．８〜６６６６．０Ｐａに設定され、前記硬部が上下方向に帯状に形成される足踏マット。
【請求項２】
前記スプリング構造部が乗り物の足掛け部に装着される請求項１の足踏マット。
【請求項３】
請求項１の足踏みマットの帯状の硬部の長手方向に直交する方向に足裏を置き、前記連続線状のループが足裏の土踏まずを刺激する足踏マット使用方法。
【請求項４】
請求項１の足踏みマットの帯状の硬部の両側に設けた２つの軟部のそれぞれに片足を置き、交互に足踏みする足踏マット使用方法。
【請求項５】
請求項１の足踏みマットを利用して足踏昇降運動をする足踏マット使用方法。
【請求項６】
請求項１の足踏みマットを遊技機のマットに利用し、該マットに計測器を接続し、遊技中に遊技機の画面に表示される動画又は遊技機から発生する音に合せて、遊技者がマットを踏むと、足踏み運動の情報が前記計測器から前記遊技機に出力され、該出力に基づいて、遊技を進行させる足踏マット使用方法。
【発明の詳細な説明】
【技術分野】
【０００１】
この発明は、足踏み運動により健康を増進する足踏マットに関する。
【背景技術】
【０００２】
現在、エコノミー対策症候群が問題となっている。今では、飛行機は公私ともに私達の移動手段として欠かせない交通手段となったが、旅行中に起こる可能性のある深部静脈血栓症、またの名をエコノミークラス症候群（ロングフライト血栓症）の患者数が増大している。エコノミークラス症候群の実態を把握し、その予防に努めることが急務である。エコノミークラス症候群の原因は、長時間、下肢を動かさずに座っていると、太腿の奥にある静脈に血のかたまり(深部静脈血栓)ができることがあり、歩いている間に血栓の一部が血流に乗って肺にとび、肺の血管を閉塞してしまうといわれている。当初、深部静脈血栓が航空機内のエコノミークラスの旅客から報告されたため、エコノミークラス症候群の名前で知られるようになった。また、この血栓が、足から脳や心臓に移動すると、卒中や心臓発作を誘発する恐れもある。座席のクラスに関係なく、また、航空機以外の交通機関や劇場でも一定の姿勢のまま長時間、動かなければ、同様のおそれがあるとされている。例えば、自動車関係でも、勤務中に肺梗塞で死亡したタクシー運転手に対し、労働局が長時間座り続けたことによるエコノミークラス症候群が原因だったとして労災認定している事例もある。また、下肢静脈瘤、下肢の手術、けが、悪性腫瘍、深部静脈血栓症（既往）、凝固能異常、肥満、経口避妊薬の使用、妊娠中、出産後、このような症状のある人は、深部静脈血栓症を起こしやすいとされている。
【０００３】
エコノミークラス症候群の予防方法として常に体を動かすことが良いとされている。機内では、座りっぱなしでいる事が多いが、手足を動かしたり、歩き回ったりして定期的に体を動かす。機体の後方にはスペースがあるので、軽いストレッチ等をしてみる。立ったり座ったりを繰り返すだけでも血の循環はよくなる。北米系の航空会社では、座席に座っていながらできるエアロビックス、または、軽い柔軟体操のビデオを流したりして、楽しみながら体を動かすことを提案している。
【０００４】
これに対し、従来の器具は固く、体に刺激が強すぎ、ヒザ、関節、腰などが痛くなり、エコノミー症候群の対策器具としては無理があった。また、特許文献１に示す足踏マットの発明は、適度に体に柔らかく、泥の中を歩く感触を与えるものである発明が提案されている。
【０００５】
【特許文献１】特開２００１−８７３４３公報
【発明の開示】
【発明が解決しようとする課題】
【０００６】
しかしながら、従来の発明でエコノミー症候群対策に有効なものは皆無である。そのため有効な対策が打ち出されること無く患者の増大を招いている。特許文献１の足踏マットはポリマー・マットであり、使用に際して、使用者は泥の中を歩くような感覚を受け、足裏の血流促進効果が不十分となるおそれがあり、エコノミークラス症候群対策としては不適当である。また、有酸素運動ができる足踏み昇降運動にも不適当である。
【課題を解決するための手段】
【０００７】
上記課題に鑑み、深部静脈への血流促成効果を高め、エコノミー症候群対策に十分に効果を発揮し、また、足踏み昇降運動ができ、マットの適用範囲を拡大する足踏みマットを提供することを目的とする。
【０００８】
かかる目的を達成するため、請求項１の発明は、ループ状にランダムに絡まり合い部分的に熱溶着する連続線条から構成されるスプリング構造を備える三次元網状構造体でなり、嵩密度０．０３〜０．４ｇ/ｃｍ3、長さ４００ｍｍ〜１５００ｍｍ、幅１００ｍｍ〜２５００ｍｍ、厚み１５ｍｍ〜１５０ｍｍ、連続線条の線径０．１〜１５ｍｍ、体圧１９９９．８〜１２５３２Ｐａに設定し、嵩密度０．０７〜０．４ｇ/ｃｍ3の硬部と、該硬部より嵩密度が低く設定される嵩密度０．０３〜０．２ｇ/ｃｍ3の軟部を備え、硬部の体圧の範囲が３４６６〜１２５３２Ｐａ、軟部の体圧の範囲が１９９９．８〜６６６６．０Ｐａに設定され、前記硬部が上下方向に帯状に形成されるた足踏マットである。
【０００９】
嵩密度は、硬部で０．０７〜０，４ｇ/ｃｍ3、軟部で０．０３〜０．２ｇ/ｃｍ3である。嵩密度の好ましい範囲は、硬部で０．１０〜０．３ｇ/ｃｍ3、軟部で０．０５〜０．１ｇ/ｃｍ3であり、大きさは、最小が長さ４００ｍｍ、幅１００ｍｍ、長さ５０ｃｍ、幅５０ｃｍである。厚み１５ｍｍ〜１５０ｍｍ、線径０．１〜１５ｍｍである。
【００１０】
ここでいう体圧とは３点独立エアパック測定法により測定原器を置いたときに計測される圧力である。体重によっても、体重の違い、足の甲、土踏まず、指先など、部位により体圧の測定値が相違するので、体圧に代えて測定原器で体圧の範囲を特定したものである。
【００１２】
請求項２の発明は、前記スプリング構造部が乗り物の足掛け部に装着されることが好ましい。自動車、車両の座席によっては、足を置く収納式の台がある。そこに、足踏みマットを収納し乗せる。或いは、最初から据え付けておく。自動車用はコンパクトなタイプを収容する。
【００１３】
請求項３の発明は、請求項２の足踏みマットの帯状の硬部の長手方向に直交する方向に足裏を置き、前記連続線状のループが足裏の土踏まずを刺激する足踏マット使用方法が好ましい。
【００１４】
請求項４の発明は、請求項１の足踏みマットの帯状の硬部の両側に設けた２つの軟部のそれぞれに片足を置き、交互に足踏みする足踏マット使用方法が好ましい。
【００１５】
請求項５の発明は、請求項１の足踏みマットを利用して足踏昇降運動をする足踏マット使用方法が好ましい。
【００１６】
請求項６の発明は、請求項１の足踏みマットを遊技機のマットに利用し、該マットに計測器を接続し、遊技中に遊技機の画面に表示される動画又は遊技機から発生する音に合せて、遊技者がマットを踏むと、足踏み運動の情報が前記計測器から前記遊技機に出力され、該出力に基づいて、遊技を進行させる足踏マット使用方法が好ましい。
【発明の効果】
【００１７】
請求項１〜６の足踏マットによれば、足の深部静脈を含めた足のマッサージは全身の血行をよくするので、そうした症状の緩和に効果的であり、有効なエコノミー症候群対策を提供する。また、有酸素運動ができる足踏み昇降運動にも好適で、適用範囲が拡大する効果がある。
【００１８】
請求項１の発明によれば、硬部と、軟部とを備えるので、足裏のマッサージ効果を高める。土踏まずを硬部に載せることで、足裏の血流促進効果が高まる。
【００１９】
請求項２の発明によれば、乗り物の運転時に台の上に足を乗せてマッサージをすることで、座席に長時間座る運転に起因するエコノミー症候群を防止すると共に、疲労を低減できる。
【００２０】
請求項３の発明によれば、ループが足裏の土踏まずを刺激するので、マッサージ効果が高くなる。
【００２１】
請求項４の発明によれば、簡単な運動によって、足のマッサージ効果を得られる。
【００２２】
請求項５の発明によれば、足踏昇降運動をすることで、適用範囲が拡大する。また、健康増進、美容増進効果が高まる。
【００２３】
請求項６の発明によれば、遊技機のマットとして利用し遊技者がマットの上で遊技の進行に合せて足を踏むことで、アミューズメントと血流促進効果の一石二鳥の効果を得られる。
【発明を実施するための最良の形態】
【００２４】
以下、本発明実施形態の足踏マット１について図面を参照して説明する。この足踏マット１は、図１〜図８に示す通り、熱可塑性樹脂又は熱可塑性弾性樹脂を原料又は主原料とする三次元網状構造体であり、押し出し成形によってループ状に無秩序に絡まり合い部分的に熱融着する複数の中実連続線条２から構成される三次元網状構造を備えるスプリング構造体である。中空連続線条に代えて中実連続線条としてもよい。中空連続線条の場合、連続線条の端部は開端されていてもよいし、或いは、端部がそれぞれ閉塞され、大気圧を超える圧力の空気が中実連続線条２の中空部に封入されてもよい。中空部には空気に代えて、液体（例えば、ゲル等）を封入してもよい。
【００２５】
熱可塑性樹脂である原料又は主原料は、ＰＥＴボトル等のフレーク状又はチップ状を使用する。ＰＥＴボトルをそのまま粉砕しそれを溶融させてフレーク形状にしたものである。再生以外の熱可塑性樹脂等においても適用可能である。例えば、熱可塑性樹脂として、ポリエチレン、ポリプロピレンなどのポリオレフィン、ポリエチレンテレフタレートなどのポリエステル、ナイロン６６などのポリアミド、ポリ塩化ビニル、ポリスチレン、上記樹脂をベースとし共重合したコポリマーやエラストマー、上記樹脂をブレンドしたもの等が挙げられる。酢酸ビニール樹脂、ゴムを混合したポリエチレン樹脂が好適である。また、原料を熱可塑性ウレタンとすれば、低反発で弾力性を保持できる。
【００２６】
三次元網状構造体は、嵩密度０．０３〜０．４ｇ/ｃｍ3、長さ４００ｍｍ〜１５００ｍｍ、幅１００ｍｍ〜２５００ｍｍ、厚み１５ｍｍ〜１５０ｍｍ、連続線条の線径０．１〜１５ｍｍ、体圧範囲が１９９９．８〜１２５３２Ｐａに設定してある。中実線条の場合、中空率は３０〜９５％である。中空連続線条が開端する場合には、内部は大気圧である。中空連続線条に空気が封入される場合、空気の圧力は８１〜３０４ＫＰａ（０．８〜３気圧）、好ましくは、圧力１１１〜３０４ｋＰａ（１．１〜３気圧）に設定されていることが好ましい。
【００２７】
嵩密度０．０７〜０．４ｇ/ｃｍ3の硬部３と、硬部３より嵩密度が低く設定される嵩密度０．０３〜０．２ｇ/ｃｍ3の軟部４を備え、硬部３の体圧の範囲が３４６６〜１２５３２Ｐａ、軟部４の体圧の範囲が１９９９．８〜６６６６．０Ｐａに設定され、硬部３が上下方向に帯状に形成される。
【００２８】
３点独立エアパック測定方法により体圧を測定した（図６〜図８参照）。検体マットは、長さ×幅×厚みが５００×５００×５０ｍｍ、硬部５００×４０×５０ｍｍ、線径０．９ｍｍ、硬部３の嵩密度０．１１ｇ/ｃｍ3、軟部４の嵩密度０．０６ｇ/ｃｍ3である。図７では、検体マットを小さくカットした状態で撮影してある。図６の体圧測定基準原器は四角柱（鉄製）大きさ、１１０×９０×４１ｍｍ、重量３．２ｋｇを用いた。図６の測定器は、簡易体圧測定器CELLO型番CR−２７０（株式会社ケ-プ製）を用いた。この測定器はセンサ部と表示部とから構成される。測定器の測定範囲は０〜１９９ｍｍＨｇ、総合精度±４．０ｍｍＨｇである。測定器のセンサー部を、体圧測定基準原器と検体マットの表面の間に差し込んで、図８のセンサ部の位置に体圧測定基準原器を置いて測定した。測定値の単位はｍｍＨgである。硬部３の体圧の実測値３６８．６４Ｐａ（１９．２ｍｍＨｇ）である。硬部３の中心軸が体圧測定基準原器の中心軸と一致するように配置する。軟部４の体圧の実測値５４６６．１Ｐａ（４１．０ｍｍＨｇ）である。
【００２９】
本実施形態の足踏マット１によれば、足の深部静脈を含めた足のマッサージは全身の血行をよくするので、そうした症状の緩和に効果的であり、有効なエコノミー症候群対策を提供する。また、有酸素運動ができる足踏み昇降運動にも好適で、適用範囲が拡大する効果がある。その上、構造も簡単で、清掃の容易で、消毒、水洗いも容易である。三次元網状構造体が単一構造体であるので、使用後のリサイクルも容易である。
【００３０】
また、中空連続線条の内部に空気を閉じる場合、連続線条の中空部に封入する空気の圧力により、体圧分散の調整もでき、空気圧の変更も可能である。また、それぞれの圧力の高まった中空連続線条が、三次元的な絡み方で成型されていて、尚且つそれぞれが、バネとなりえている上に、中空連続線条の内部に圧力空気が封入されているため、中空連続空気がバネとなり、マッサージ効果が高くなるとともに、耐荷重の繰り返し試験においても大幅なデータの向上が認められ、体重の重い人にも好適な足踏マットを提供できる。
【００３１】
硬部３と、軟部４とを備えるので、足裏のマッサージ効果を高める。軟部４に足を乗せたり（図１〜図３参照）、土踏まずを硬部３に載せることで（図４〜図５参照）、足裏の血流促進効果が高まる。足踏マット１の表面の中実連続線条２のループ部が足裏の土踏まずを刺激するので、マッサージ効果が高くなる。
【００３２】
乗り物の運転時に台に足踏マット１を装着し運転者又は乗客がその上に足を乗せてマッサージをすることで、座席に長時間座る運転に起因するエコノミー症候群を防止すると共に、疲労を低減できる。
【００３３】
足踏マット１を利用して簡単な足踏昇降運動をすることで、健康増進効果、美容効果が高まる。足踏マット１の適用の範囲が拡大する。
【００３４】
青竹踏み運動（図１、図２参照）、足踏昇降運動（図３〜図５参照）が可能である。そして、老人の運動に好適である。姿勢が悪いと、足踏マット１で運動すると、その上で立っていられないことがあるので、姿勢の矯正に適している。また、土踏まずを硬部３の載せて運動すると、硬部３のみならず、軟部４からも刺激を受け、ソフトではあるが適度な硬さのある感触を得られるので、疲労回復効果が高まる。足踏マット１の全体的により足を刺激するのではなく、ループ部が線状に足を刺激することで効果が高くなる。
【００３５】
遊技機のマットとして利用し遊技者がマットの上で遊技の進行に合せて足を踏むことで、アミューズメントと血流促進効果の一石二鳥の効果を得られる。
【００３６】
本実施形態の足踏マット１の製造方法を参照して説明する。本実施形態の足踏マット１の製造方法は、熱可塑性樹脂又は熱可塑性弾性樹脂を原料又は主原料とし、熱可塑性樹脂を中実連続線条２の多数を下向きノズルより、紡出させ、垂下させて水没させ、水没の際、それぞれの中実連続線条２同士をループ状にランダムに熱融着させ、冷却固化させて製造する。製造方法は、特公昭５０−３９１８５号公報、特開昭５５−１７５２７号公報、特開昭５８−１４９３６２号公報、特開平１−２０７４６３号公報、特開平１−３１４７７１号公報等に記載されているので、説明は援用する。この三次元網状構造体を所定の寸法、形状に切断し、中空連続線条から構成されるスプリング構造を備える三次元網状構造体を製造する。
【００３７】
また、端部が開端された中空連続線状を製造してもよい。連続線条の端部を閉じ中空部に空気を封入する場合、前記製造された三次元網状構造体を保持部で保持し、熱板で端面領域を押し付けて、三次元網状構造体の一つの端面領域にある中空連続線条の開口端を溶融させて閉塞するステップ１と、一端面にある開口端が閉塞された三次元網状構造体を、内部が大気圧よりも大きな圧力又は小さな圧力に設定された任意に圧力を変更できる圧力容器に入れ、圧力を負荷したまま、三次元網状構造を保持部で保持し、熱板で端面領域を押し付け、前記三次元網状構造体の他端面にある中空連続線条２の開口端を熱で溶融させて閉塞し通気止めをするステップ２と、該三次元網状構造体を冷却し、固化させる冷却固化ステップ３と、を備えている。中空連続線条の端部を閉塞することにより、スプリング効果の相違する足踏マットを得ることができる。
【００３８】
なお、本発明は、上述の実施の形態に限定されるものではなく、本発明の技術的思想を逸脱しない範囲において、改良、変更、追加等を加えることができる。それらの改変、均等物等も本発明の技術的範囲に含まれる。
【産業上の利用可能性】
【００３９】
本発明の足踏マットによれば、足の深部静脈の血流促進効果を高め、エコノミー症候群の効果的な対策を提供し、また、手ごろな価格で足踏昇降運動ができ、健康促進に貢献できる。
【図面の簡単な説明】
【００４０】
【図１】足踏マット１の斜視図（その１）である。
【図２】足踏みマット１の斜視図（その２）である。
【図３】足踏みマット１の斜視図（その３）である。
【図４】足踏みマット１の斜視図（その４）である。
【図５】足踏みマット１の斜視図（その５）である。
【図６】足踏みマット１の体圧測定器を示す斜視図である。
【図７】足踏みマット１の体圧測定方法を示す斜視図である。
【図８】足踏みマット１の体圧測定器を示す斜視図である。
【符号の説明】
【００４１】
１・・・足踏マット  ２・・・中実連続線条  ３・・・硬部  ４・・・硬部
【図１】
0004782586.tif 000002
【図２】
0004782586.tif 000003
【図３】
0004782586.tif 000004
【図４】
0004782586.tif 000005
【図５】
0004782586.tif 000006
【図６】
0004782586.tif 000007
【図７】
0004782586.tif 000008
【図８】
0004782586.tif 000009